【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
複数種類のロゴデータが登録され、登録された前記ロゴデータに基づいて記録媒体に記録可能な記録装置、及び、前記ロゴデータを記憶するサーバーに接続可能な制御装置であって、
前記サーバーにアクセスして前記ロゴデータを取得し、取得した前記ロゴデータを前記記録装置に登録するロゴデータ管理部を備え、
前記ロゴデータ管理部は、
前記サーバーにアクセスを開始する条件が成立した場合、前記サーバーにアクセスして、当該成立した条件に対応する種類の前記ロゴデータを取得し、取得した前記ロゴデータを前記記録装置に登録することを特徴とする制御装置。
【請求項２】
前記ロゴデータ管理部は、
前記記録装置に前記ロゴデータを登録する際、前記記録装置の仕様に応じて前記ロゴデータを加工して登録することを特徴とする請求項１に記載の制御装置。
【請求項３】
前記ロゴデータ管理部が前記サーバーにアクセスを開始する条件は、予め定められた所定のタイミングが到来したことであり、前記ロゴデータの種類ごとに前記タイミングが異なっていることを特徴とする請求項１又は２に記載の制御装置。
【請求項４】
前記ロゴデータは、レシートの先頭に記録されるトップ画像のデータ、レシートの末尾に記録されるボトム画像のデータ、または、レシートに記録される広告画像のデータの少なくとも一つを含むことを特徴とする請求項１から３のいずれかに記載の制御装置。
【請求項５】
複数種類のロゴデータが登録され、登録された前記ロゴデータに基づいて記録媒体に記録可能な記録装置と、前記ロゴデータを記憶するサーバーと、前記記録装置、及び、前記サーバーに接続可能な制御装置とを備える制御システムであって、
前記制御装置は、
前記サーバーにアクセスして前記ロゴデータを取得し、取得した前記ロゴデータを前記記録装置に登録するロゴデータ管理部を備え、
前記ロゴデータ管理部は、
前記サーバーにアクセスを開始する条件が成立した場合、前記サーバーにアクセスして、当該成立した条件に対応する種類の前記ロゴデータを取得し、取得した前記ロゴデータを前記記録装置に登録することを特徴とする制御システム。
【請求項６】
複数種類のロゴデータが登録され、登録された前記ロゴデータに基づいて記録媒体に記録可能な記録装置、及び、前記ロゴデータを記憶するサーバーに接続可能な制御装置の制御方法であって、
前記サーバーにアクセスを開始する条件が成立した場合、前記サーバーにアクセスして、当該成立した条件に対応する種類の前記ロゴデータを取得し、取得した前記ロゴデータを前記記録装置に登録することを特徴とする制御装置の制御方法。
【請求項７】
複数種類のロゴデータが登録され、登録された前記ロゴデータに基づいて記録媒体に記録可能な記録装置、及び、前記ロゴデータを記憶するサーバーに接続可能な制御装置の各部を制御する制御部により実行されるプログラムであって、
前記制御部を、
前記サーバーにアクセスを開始する条件が成立した場合、前記サーバーにアクセスして、当該成立した条件に対応する種類の前記ロゴデータを取得し、取得した前記ロゴデータを前記記録装置に登録するロゴデータ管理部として機能させることを特徴とするプログラム。
【手続補正２】
【補正対象書類名】明細書
【補正対象項目名】０００５
【補正方法】変更
【補正の内容】
【０００５】
上記目的を達成するために、本発明は、制御装置であって、複数種類のロゴデータが登録され、登録された前記ロゴデータに基づいて記録媒体に記録可能な記録装置、及び、前記ロゴデータを記憶するサーバーに接続可能な制御装置であって、前記サーバーにアクセスして前記ロゴデータを取得し、取得した前記ロゴデータを前記記録装置に登録するロゴデータ管理部を備え、前記ロゴデータ管理部は、前記サーバーにアクセスを開始する条件が成立した場合、前記サーバーにアクセスして、当該成立した条件に対応する種類の前記ロゴデータを取得し、取得した前記ロゴデータを前記記録装置に登録することを特徴とする。
ここで、ロゴとは、記録装置に登録されたロゴデータ（画像データ）に基づいて記録媒体に記録される画像の全てを含む概念であり、いわゆるレシートにおけるトップロゴや、ボトムロゴのほか、広告に係る画像等も含む。
この構成によれば、サーバーにアクセスを開始する条件として、ロゴデータの種類ごとに異なる条件が設定されており、設定された条件のうち、いずれかの条件が成立した場合、サーバーにアクセスして、当該成立した条件に対応する種類のロゴデータを取得し、取得したロゴデータを記録装置に登録するため、簡易な手段により、ロゴの種類ごとにそれぞれ適切な条件が成立したことをトリガーとして各ロゴに係るロゴデータを更新できる。特に、上記構成によれば、手動で、ロゴの種類ごとにそれぞれ適切な条件が成立したことをトリガーとして各ロゴのロゴデータを登録する必要がなく、作業が非常に簡易である。
【手続補正３】
【補正対象書類名】明細書
【補正対象項目名】０００７
【補正方法】変更
【補正の内容】
【０００７】
また、上記発明の制御装置であって、本発明は、前記ロゴデータ管理部が前記サーバーにアクセスを開始する条件は、予め定められた所定のタイミングが到来したことであり、前記ロゴデータの種類ごとに前記タイミングが異なっていることを特徴とする。
この構成によれば、ロゴの種類ごとにそれぞれ適切なタイミングで各ロゴに係るロゴデータを更新できる。
また、上記発明の制御装置であって、本発明は、前記ロゴデータは、レシートの先頭に記録されるトップ画像のデータ、レシートの末尾に記録されるボトム画像のデータ、または、レシートに記録される広告画像のデータの少なくとも一つを含むことを特徴とする。
【手続補正４】
【補正対象書類名】明細書
【補正対象項目名】０００８
【補正方法】変更
【補正の内容】
【０００８】
また、上記目的を達成するために、本発明は、複数種類のロゴデータが登録され、登録された前記ロゴデータに基づいて記録媒体に記録可能な記録装置と、前記ロゴデータを記憶するサーバーと、前記記録装置、及び、前記サーバーに接続可能な制御装置とを備える制御システムであって、前記制御装置は、前記サーバーにアクセスして前記ロゴデータを取得し、取得した前記ロゴデータを前記記録装置に登録するロゴデータ管理部を備え、前記ロゴデータ管理部は、前記サーバーにアクセスを開始する条件が成立した場合、前記サーバーにアクセスして、当該成立した条件に対応する種類の前記ロゴデータを取得し、取得した前記ロゴデータを前記記録装置に登録することを特徴とする。
この構成によれば、サーバーにアクセスを開始する条件として、ロゴデータの種類ごとに異なる条件が設定されており、設定された条件のうち、いずれかの条件が成立した場合、サーバーにアクセスして、当該成立した条件に対応する種類のロゴデータを取得し、取得したロゴデータを記録装置に登録するため、簡易な手段により、ロゴの種類ごとにそれぞれ適切な条件が成立したことをトリガーとして各ロゴに係るロゴデータを更新できる。特に、上記構成によれば、手動で、ロゴの種類ごとにそれぞれ適切な条件が成立したことをトリガーとして各ロゴのロゴデータを登録する必要がなく、作業が非常に簡易である。
【手続補正５】
【補正対象書類名】明細書
【補正対象項目名】０００９
【補正方法】変更
【補正の内容】
【０００９】
また、上記目的を達成するために、本発明は、複数種類のロゴデータが
登録され、登録された前記ロゴデータに基づいて記録媒体に記録可能な記録装置、及び、前記ロゴデータを記憶するサーバーに接続可能な制御装置の制御方法であって、前記サーバーにアクセスを開始する条件が成立した場合、前記サーバーにアクセスして、当該成立した条件に対応する種類の前記ロゴデータを取得し、取得した前記ロゴデータを前記記録装置に登録することを特徴とする。
この制御方法によれば、サーバーにアクセスを開始する条件として、ロゴデータの種類ごとに異なる条件が設定されており、設定された条件のうち、いずれかの条件が成立した場合、サーバーにアクセスして、当該成立した条件に対応する種類のロゴデータを取得し、取得したロゴデータを記録装置に登録するため、簡易な手段により、ロゴの種類ごとにそれぞれ適切な条件が成立したことをトリガーとして各ロゴに係るロゴデータを更新できる。特に、上記構成によれば、手動で、ロゴの種類ごとにそれぞれ適切な条件が成立したことをトリガーとして各ロゴのロゴデータを登録する必要がなく、作業が非常に簡易である。
【手続補正６】
【補正対象書類名】明細書
【補正対象項目名】００１０
【補正方法】変更
【補正の内容】
【００１０】
また、上記目的を達成するために、本発明は、複数種類のロゴデータが登録され、登録された前記ロゴデータに基づいて記録媒体に記録可能な記録装置、及び、前記ロゴデータを記憶するサーバーに接続可能な制御装置の各部を制御する制御部により実行されるプログラムであって、前記制御部を、前記サーバーにアクセスを開始する条件が成立した場合、前記サーバーにアクセスして、当該成立した条件に対応する種類の前記ロゴデータを取得し、取得した前記ロゴデータを前記記録装置に登録するロゴデータ管理部として機能させることを特徴とする。
このプログラムを実行すれば、サーバーにアクセスを開始する条件として、ロゴデータの種類ごとに異なる条件が設定されており、設定された条件のうち、いずれかの条件が成立した場合、サーバーにアクセスして、当該成立した条件に対応する種類のロゴデータを取得し、取得したロゴデータを記録装置に登録するため、簡易な手段により、ロゴの種類ごとにそれぞれ適切な条件が成立したことをトリガーとして各ロゴに係るロゴデータを更新できる。特に、上記構成によれば、手動で、ロゴの種類ごとにそれぞれ適切な条件が成立したことをトリガーとして各ロゴのロゴデータを登録する必要がなく、作業が非常に簡易である。